(57)【特許請求の範囲】
【請求項１】
超音波振動を行う振動面を配した本体部と、振動面に毛髪を押し付ける押え板機構とを備えた超音波ヘアセット器であって、上記振動面に毛髪以外の身体部位が接触することを防止する火傷防止手段として、上記振動面の周囲に配置された櫛状保護部と、押え板機構の押え面と振動面との距離を検知する検知手段と、該検知手段による検知結果が所定距離以下となる場合にのみ超音波振動を行わせるよう制御する制御手段とを備え、さらに、空うち状態を回避するために上記押え板機構の押え面にかかる圧力を検知する圧力検知部を備え、該圧力検知部による検知結果が所定圧以上となる場合にのみ超音波振動を行わせるよう制御することを特徴とする超音波ヘアセット器。
【請求項２】
上記検知手段として、押え板機構の押え面と振動面との距離が所定距離以下となる場合にオンとなるスイッチ機構を備え、上記制御手段として、該スイッチ機構がオンとなる場合にのみ超音波振動を行わせるよう制御する制御部を備えることを特徴とする請求項１に記載の超音波ヘアセット器。
【請求項３】
上記押え板機構として、押え面を有するととも本体部に枢支されるレバー部を備え、上記検知手段として、レバー部と本体部との角度を検知する角度検知部を備え、上記制御手段として、該角度検知部が検知する角度が所定角度以下となる場合にのみ超音波振動を行わせるよう制御する制御部を備えること特徴とする請求項１記載の超音波ヘアセット器。
【発明の詳細な説明】
【技術分野】
【０００１】
本発明は、超音波振動を行う振動面に毛髪を押し当てて該毛髪をセットする超音波ヘアセット器に関するものである。
【背景技術】
【０００２】
従来から、毛髪をセットする為のヘアセット器として熱式のものが知られている（特許文献１参照）。この熱式のヘアセット器は、ヒータにより加熱される加熱面を本体部に有し、該加熱面に毛髪を押し当てることにより毛髪をセットするものである。しかし、上記熱式のヘアセット器にあっては消費電極が大きくなるうえに、毛髪に対して高温の加熱面を押し当てることから該毛髪を傷めやすいといった問題がある。
【０００３】
そこで上記問題を解決するものとして、上記加熱面の代りに超音波振動を行う振動面を備え、この振動面に毛髪を押し当てることにより該毛髪を超音波振動によって内側から加熱してセットする方式のものが考えられている。
【０００４】
しかしながら上記方式の超音波ヘアセット器にあっては、毛髪以外の身体部位（代表的には指）を運転中に誤って振動面に接触させてしまった場合には火傷を負う危険性が高いといった問題がある。というのも、従来の熱式のヘアセット器であれば例えば指を加熱面に接触させた場合、使用者は該加熱面の熱により反射的に指を離すことが通常であるのに対して、超音波ヘアセット器の振動面に指を接触させた場合には、振動面自体が高温である訳ではないので反射的には指を離し難いからである。そして、振動面に指を長時間接触させていれば該指の内部側から加熱されることとなって危険である。
【特許文献１】特開２０００−３３３７１９号公報
【発明の開示】
【発明が解決しようとする課題】
【０００５】
本発明は上記問題点に鑑みて発明したものであって、毛髪以外の身体部位が誤って振動面に接触することを防止した超音波ヘアセット器を提供することを課題とするものである。
【課題を解決するための手段】
【０００６】
上記課題を解決するために本発明を、超音波振動を行う振動面５を本体部１に配して成る超音波ヘアセット器であって、上記振動面５に毛髪３０以外の身体部位が接触することを防止する火傷防止手段を備えることを特徴としたものとする。このようにすることで毛髪３０以外の身体部位が誤って振動面５に接触することを防止し、安全性を確保することが可能である。
【０００８】
さらに、上記超音波ヘアセット器は本体部１の振動面５に毛髪３０を押し付ける押え板機構を備えたものであって、上記火傷防止手段として、上記振動面５の周囲に配置された櫛状保護部９と、押え板機構の押え面８と振動面５との距離Ｄを検知する検知手段１２と、該検知手段１２による検知結果が所定距離以下となる場合にのみ超音波振動を行わせるよう制御する制御手段とを備え、さらに、空うち状態を回避するために上記押え板機構の押え面８にかかる圧力を検知する圧力検知部１５を備え、該圧力検知部１５による検知結果が所定圧以上となる場合にのみ超音波振動を行わせるよう制御するものである。このようにすることで、指等を挟んでしまった場合には超音波振動が発生しないようにでき、さらに、振動面５が無負荷又はそれに近い状態で発振する状態を防止することができ、安全性が確保される。
【０００９】
更に上記検知手段１２として、押え板機構の押え面８と振動面５との距離Ｄが所定距離以下となる場合にオンとなるスイッチ機構１３を備え、上記制御手段として、該スイッチ機構１３がオンとなる場合にのみ超音波振動を行わせるよう制御する制御部を備えることが好適である。このようにすることで、簡単な構成により高い信頼性で安全性を確保することができる。
【００１０】
また更に、上記押え板機構として、押え面８を有するととも本体部１に枢支されるレバー部６を備え、上記検知手段１２として、レバー部６と本体部１との角度αを検知する角度検知部１４を備え、上記制御手段として、該角度検知部１４が検知する角度αが所定角度以下となる場合にのみ超音波振動を行わせるよう制御する制御部を備えることも好適である。このようにすることで、簡単な構成により高い信頼性で安全性を確保することができる。
【００１２】
なお、以上述べた各構成は、本発明の趣旨を逸脱しない限り適宜組合せ可能である。
【発明の効果】
【００１３】
本発明は、毛髪以外の身体部位が誤って振動面に接触することを防止するといった効果を奏する。
【発明を実施するための最良の形態】
【００１４】
以下、本発明を添付図面に示す実施形態に基いて説明する。図１〜図４には、本発明の実施形態における第１例の超音波へアセット器を示している。本例の超音波ヘアセット器は図１に示すように、一端側がグリップ１ａとなる棒状の本体部１の他端側内部に超音波振動ブロック２を備えたものである。上記超音波振動ブロック２は、通電により超音波振動を生じる超音波振動子３と、該超音波振動子３の振動を増幅するとともに振動範囲を広げる超音波ホーン４とを組合せて成り、超音波ホーン４の表面として形成される振動面５が、本体部１の他端側の外表面から突出した箇所に配される構造である。
【００１５】
また本体部１のグリップ１ａ側の端部には棒状のレバー部６が枢支されて回動自在となっており、該レバー部６の先端側には押え板７が取り付けられている。そしてこの押え板７の表面として形成される押え面８が、レバー部６の外表面から突出した個所であり且つ本体部１の振動面５と対向する箇所に配されている。
【００１６】
本体部１の振動面５は細長の略長方形状を成すものであり、この振動面５の一対の長辺の外側には、該長辺に沿って振動面５を挟むように櫛状保護部９を立設させている。上記櫛状保護部９は、振動面５の周囲に等間隔ｄを隔てて列設される多数の櫛歯状の保護突起１０から成り、該振動面５に毛髪３０以外の身体部位（代表的には指３１）が接触することを防止する火傷防止手段として機能するものである。
【００１７】
なお、隣接する保護突起１０同士の間隔ｄ＝２〜５ｍｍ程度となり、且つ各保護突起１０（即ち、櫛状保護部９全体）の振動面５からの突出高さｔ＝５ｍｍ程度となるように設けることが適当である。更に、超音波ホーン４及びその先端の振動面５を挟んで両側に配される櫛状保護部９間の幅ｗ＝３〜１０ｍｍ程度となることが適当である。
【００１８】
本例の超音波ヘアセット器を用いて毛髪３０をセットする場合には、本体部１外表面に設置してある操作部（図示せず）を操作して、超音波振動ブロック２に超音波振動を生じさせるように本体部１内の制御部（図示せず）に指令を与える。該制御部は超音波振動ブロック２の超音波振動子３への通電制御を行うもので、通電により超音波振動子３から生じた超音波振動は超音波ホーン４を通じて振動面５にまで伝達される。
【００１９】
そして、振動面５の両側に配してある櫛状保護部９の保護突起１０間に毛髪３０を通し、櫛状保護部９の歯列方向と毛髪３０の向きとが直交するようにセットするとともに、レバー部６を本体部１に近付く側に回動させて該レバー部６の押え面８を毛髪３０に押当てる。毛髪３０は振動面５と押え面８との間に挟持される状態となり、この挟持状態を保持しながら図１（ｃ）中の矢印に示す如く毛髪３０を梳かすように超音波ヘアセット器を移動させていく。
【００２０】
両側の櫛状保護部９の保護突起１０列間に保持される毛髪３０には、挟持状態で櫛状保護部９に梳かされたことで該毛髪３０を引張って直線状に保持しようとする張力が生じる。直線状にある毛髪３０は押え面８により振動面５に対して高い接触圧を付与されており、この状態で振動面５から伝達される超音波振動によって毛髪３０は内側から加熱され、ストレートにセットされるものである。上記作業を毛髪３０を毛先側に梳かしながら連続的に行えば、挟み込んだ毛髪３０全体をストレートにセットすることができる。
【００２１】
ここで、図２（ａ）、図４（ａ）に示す如く本体部１とレバー部６との間に指（指先）３１を侵入させた場合であっても、両櫛状保護部９の振動面５を囲む各保護突起１０が指３１に当って該指３１と振動面５との接触を防止する。なおレバー部６側の押え板７は、本体部１側の両側の櫛状保護部９との接触は避けて振動面５上の毛髪３０とのみ押え面８が接触するように形成している。
【００２２】
また本例にあっては上記の如く、本体部１の振動面５に毛髪３０を押し付ける押え板機構として、押え面８を有するととも本体部１に枢支されるレバー部６を備えたものとしたが、他の構成の押え板機構であってもよいし、また押え板機構を具備しないものであってもよい。押え板機構を具備しない構成である場合には、毛髪３０を梳かす際に生じる張力や、毛髪３０を手で掴んで引張る際に生じる張力により、毛髪３０の振動面５への接触圧を確保する。
【００２３】
次に、本発明の実施形態における第２例の超音波ヘアセット器について図５に基づいて説明するが、既述した第１例と同様の構成については同一符号を付して詳しい説明を省略する。本例にあっては本体部１に、複数列（図示例では３列）の超音波ホーン４及びそれらの表面として形成される複数列の振動面５を設けてある。そして、これら隣接する複数列の振動面５の間、及び全振動面５を挟む両外側の箇所に櫛状保護部９を設置することで、各振動面５に指３１が接触することを防止している。
【００２４】
また押え板７には、振動面５間に配される櫛状保護部９を避けるための凹溝１１を形成しており、毛髪３０を挟持する際に櫛状保護部９の先端が凹溝１１内に入り込むように設けることで、押え面８が全櫛状保護部９との接触を避けて振動面５上の毛髪３０とのみ接触するようになっている。なお、３列の超音波ホーン４のうち中央以外を単なる押え板として設けても構わない。
【００２５】
次に、本発明の実施形態における第３例の超音波ヘアセット器について図６に基づいて説明するが、既述した第１例と同様の構成については同一符号を付して詳しい説明を省略する。本例にあっては火傷防止手段として更に、レバー部６側の押え面８と本体部１側の振動面５との間の距離Ｄを検知する検知手段１２を備え、この検知手段１２により検知される両面８，５間の距離Ｄが所定距離以下となる場合にのみ制御部が超音波振動を行わせるよう通電制御するように設けている。上記所定距離は、押え面８と振動面５との間に指３１が侵入している場合には通電がオンとならない設定にするために５ｍｍ程度とすることが適当である。
【００２６】
そして本例にあっては上記検知手段１２として、押え面８と振動面５との距離Ｄが所定距離以下となる場合にオンとなるスイッチ機構１３を備え、このスイッチ機構１３のオンオフが制御部に入力されるとともに、該スイッチ機構１３がオンとなる場合にのみ制御部が超音波振動を行わせるよう通電制御するものである。
【００２７】
なお、押え板機構としてはこれに限定されず、同様の押え面８により毛髪３０を振動面５に押し付けることができれば他の構成であっても構わない。
【００２８】
次に、本発明の実施形態における第４例の超音波ヘアセット器について図７に基づいて説明するが、既述した第３例と同様の構成については同一符号を付して詳しい説明を省略する。本例にあっては、レバー部６側の押え面８と本体部１側の振動面５との間の距離を検知する検知手段１２として、レバー部６と本体部１との角度αを検知する角度検知部１４を備え、この角度検知部１４により検知される角度αが制御部に入力されるとともに、この角度αが所定角度以下となる場合にのみ制御部が超音波振動を行わせるよう通電制御するものである。上記所定角度は、押え面８と振動面５との間の距離Ｄが５ｍｍ程度となる際の角度を適宜算出して設定することが適当である。
【００２９】
次に、本発明の実施形態における第５例の超音波ヘアセット器について図８に基づいて説明するが、既述した第１例と同様の構成については同一符号を付して詳しい説明を省略する。本例にあっては、レバー部６内であり且つ押え板７の背面側となる個所に、押え面８かかる圧力を検知する圧力検知部１５を備え、この圧力検知部１５による検知結果が所定圧力以上となる場合にのみ制御部が超音波振動を行わせるよう通電制御するものである。上記所定圧力は例えば２ｋｇｆに設定することが適当である。
【００３０】
これにより、押え面８により振動面５に生じる圧力が不充分である場合には超音波振動の発生が禁止される仕組みとなり、したがって振動面５に毛髪３０をしっかりと押し付けていない状態で超音波振動を発生させる所謂空打ち（空焚き）状態を回避することができる。上記空打ち状態は、つまり無負荷又はそれに近い状態で超音波ホーン４を発振させる状態であり、この状態にあっては超音波ホーン４でエネルギをロスして発熱を生じ、装置の故障を招くといった問題があるので、これを回避することが重要である。
【００３１】
なお、上記した各例の構成を適宜組合せた超音波ヘアセット器としてもよいことは勿論である。
【図面の簡単な説明】
【００３２】
【図１】（ａ）〜（ｃ）は本発明の実施形態における第１例の超音波ヘアセット器の全体を示す説明図である。
【図２】（ａ）、（ｂ）は同上の超音波ヘアセット器の要部説明図である。
【図３】同上の超音波ヘアセット器の櫛状保護部の説明図である。
【図４】（ａ）、（ｂ）は同上の超音波ヘアセット器の他の要部説明図である。
【図５】（ａ）、（ｂ）は本発明の実施形態における第２例の超音波ヘアセット器の要部説明図である。
【図６】（ａ）〜（ｃ）は本発明の実施形態における第３例の超音波ヘアセット器の全体を示す説明図である。
【図７】（ａ）、（ｂ）は本発明の実施形態における第４例の超音波ヘアセット器の全体を示す説明図である。
【図８】（ａ）、（ｂ）は本発明の実施形態における第５例の超音波ヘアセット器の全体を示す説明図である。
【符号の説明】
【００３３】
１  本体部
５  振動面
６  レバー部
８  押え面
９  櫛状保護部
１２  検知手段
１３  スイッチ機構
１４  角度検知部
１５  圧力検知部
３０  毛髪
Ｄ  距離
α  角度
【図１】
0004839800.tif 000002
【図２】
0004839800.tif 000003
【図３】
0004839800.tif 000004
【図４】
0004839800.tif 000005
【図５】
0004839800.tif 000006
【図６】
0004839800.tif 000007
【図７】
0004839800.tif 000008
【図８】
0004839800.tif 000009